(57)【特許請求の範囲】
【請求項１】
一端にコンテナ等の内壁面に設けたレール材に着脱自在に取り付けられるクリップ部を設け、他端にベルトを挿通するスリットを設けた取付金具にベルトを取り付けてなる荷崩れ防止用ベルトにおいて、透明または半透明の所定長さの補強鞘を前記ベルトの折り返し端部と取付金具を可及的に被覆するようにして前記ベルトに固定手段を介して取り付けたことを特徴とする荷崩れ防止用ベルト。
【請求項２】
補強鞘の取り付けの固定手段は、ハトメで固定するものである請求項１記載の荷崩れ防止用ベルト。
【請求項３】
補強鞘の取り付けの固定手段は、鋲で固定したものである請求項１記載の荷崩れ防止用ベルト。
【請求項４】
補強鞘の取り付けの固定手段は、縫着して固定したものである請求項１記載の荷崩れ防止用ベルト。
【請求項５】
補強鞘の取り付けの固定手段は、ステープル状の留め金で固定したものである請求項１記載の荷崩れ防止用ベルト。
【発明の詳細な説明】
【０００１】
【発明の属する技術分野】
この発明は、トラックの荷台やコンテナなどに設けられたレール材間に架け渡し、荷締め機で締め付けて荷物の荷崩れを防止する荷崩れ防止用ベルトの改良に関するものである。
【０００２】
【従来の技術】
従来からトラックなどによる貨物輸送においては、その荷台あるいはコンテナなどに積み込んだ荷物が荷崩れを起こさないようにするために、コンテナなどの左右内壁の前後方向に複数の取付口を連設してなるレール材を対設すると共に、前記取付口に着脱自在なクリップ部を端部に有する取付金具を備えた荷崩れ防止用ベルトを荷締め機を介して前記左右のレール材間に架け渡すことが行われている。
【０００３】
この荷崩れ防止用ベルトは一般に所定幅を有する布製であるが、ベルトが荷物の角部と擦れてすり切れやすいことから、荷物と接する部分に当たるように所定長さでゴムや布製の補強鞘をベルトを被覆するように設けたものも広く利用されている。
【０００４】
【発明が解決しようとする課題】
しかし、最も簡単な構成の取付金具として、一端にクリップ部を有する金具の他端にスリットを設け、該スリットに直接ベルトを挿通したものにあっては、金具とベルトが頻繁に接触するスリット部分が擦れて劣化することはともかく、内側の金具と外側から接する荷物に挟まれたベルト部分が擦れて劣化することもあった。
【０００５】
また、従来の補強鞘は不透明のゴムや布製であることから、ベルトの状態を完全に視認することができなかった。即ち、ベルトの補強鞘で覆われた部分が捩れていたり擦れて弱くなっていたとしても、外部から確認することができなかったのである。
【０００６】
さらに、補強鞘は荷物の角部に位置させて荷締めを行う必要があるが、従来の補強鞘はベルトに自由に挿通させただけであったから、振動などによって位置ずれが生じて補強鞘が荷物の角部から外れ、その結果ベルトが緩んだりすり切れて荷崩れの要因となっていた。特にベルトの取付金具と近接した部分で、捩れやすり切れの発生が顕著であった。
【０００７】
【課題を解決するための手段】
本発明は上記諸課題を解決したものであり、一端にコンテナ等の内壁面に設けたレール材に着脱自在に取り付けられるクリップ部を設け、他端にベルトを挿通するスリットを設けた取付金具にベルトを取り付けてなる荷崩れ防止用ベルトにおいて、透明または半透明の所定長さの補強鞘を前記ベルトの折り返し端部と取付金具を可及的に被覆するようにして前記ベルトに固定手段を介して取り付けるという手段を採用した。
【０００８】
このとき、補強鞘の取り付けの固定手段は、ハトメで固定する手段、鋲で固定する手段、縫着して固定する手段、ステープル状の留め金で固定する手段などを採用した。
【０００９】
かかる構成の荷崩れ防止用ベルトは、取付金具まで被覆するようにベルトに固定した補強鞘が、取付金具に重なるベルト部分を荷物等との接触から保護してベルトの劣化を防止するとともに、荷物にベルトを架け渡す際に荷物の角部に補強鞘が当接し、この補強鞘が固定されているので、位置ずれを起こすことがなく、ベルトのすり切れ等の事故を未然に防止できる。
【００１０】
また、補強鞘を透明または半透明にしたので、従来補強鞘で覆われて見えなかった部分も目視することができ、ベルトの捩れやすり切れを確認できるようになる。
【００１１】
【発明の実施の形態】
以下、本発明に係る荷崩れ防止用ベルトの好ましい実施形態を図面に従って説明する。図１は荷崩れ防止用ベルトの一端を示すものであるが、図において１は取付金具で、荷台やコンテナなどの内壁面に設けられたレール材の取付口（図示せず）に着脱自在に取り付けられるクリップ部１ａを一端に設け、他端には下述するベルトを挿通するスリット１ｂを設けたものである。かかる構成の取付金具は荷締め機用ベルトの取付金具として一般的なものである。
【００１２】
次に、２は布製のベルトであって、上記取付金具のスリット１ｂに挿通し、折り返し端部２ａを重合して適宜な縫合線で縫着した態様で金具に取り付けたものである。また、３はベルト２を被覆して設ける所定長さの補強鞘であって、透明または半透明の合成樹脂等の資材で構成したものであるが、ベルト２の端部と取付金具を可及的に被覆するような位置に取付けたものである。即ち、ベルト２がスリット１ｂに挿通されてベルトの内側に金具が重なる部分までをできる限り被覆している。これは、内側の金具とベルトの外側から接する荷物等によって挟まれるベルト部分が擦れて劣化するのを防止するためである。
【００１３】
次に、４は例えばハトメ等の固定手段であって、補強鞘３の他端近傍において、ベルト２と補強鞘３を固定するものである。なお、ハトメ４をベルト２の折り返し端部２ａの重合部に設け、補強鞘３を重ねて固定することもある。取付金具１にベルト２を強固に取り付ける作用も有するからである。
【００１４】
なお、この補強鞘３の固定手段４は上述したハトメに限定するものではなく、図２に示すように鋲やリベットによって固定したり、図３に示すように重ねて縫着して固定したり、さらに図４に示すようにステープル状の留め金で固定する等適宜な手段を選択できる。要するに、補強鞘３とベルト２を固定し得るものであればよい。
【００１５】
上記構成の荷崩れ防止用ベルトは、トラック等への荷物の積載時に荷締め機と共に使用する。即ち、ベルトの取付金具のクリップ部をレール材の取付口に取り付けるとともに、ベルトを荷物に掛け、荷締め機によって締め上げ固定する。このとき、補強鞘はベルトの端部に取付金具を被覆するようにして固定されているので、内側に金具が位置するベルト部分が荷物と直接接してすり切れるようなことがなくなる。
【００１６】
また、補強鞘はベルト端部にあるので、レール材の取付口に取り付けたとき、荷物の角部に確実に当接するようになり、すり切れ等を起こすことがなく、位置ずれも生じない。
【００１７】
さらに、補強鞘が透明または半透明の資材で構成されているので、荷締めの際、ベルトの捩れ等を目視で確認でき、特にベルトと取付金具の接触部分も確実に目視で確認できる。
【００１８】
なお、上記補強鞘は、ベルト荷締め機において、ラチェットハンドルに固定するベルト、および、該ハンドルに巻き取るベルトのそれぞれの取付金具に近接して取り付ける。また、ベルト延長用のアダプターの取付金具側に取り付けることも可能である。
【００１９】
【発明の効果】
以上述べたように、本発明に係る荷崩れ防止用ベルトは、透明または半透明の補強鞘をベルトの取付金具を可及的に被覆して、適宜な固定手段で固定して取り付けるようにしたので、ベルトと金具が接する部分を外部から全面的に保護できる。また、荷物の角部に確実に補強鞘部分が当接するようになり、すり切れや位置ずれを起こすことがなく、荷崩れを確実に防止できる。
【００２０】
また、透明または半透明の資材で構成されているので、ベルトの補強鞘部の捩れや断裂等も目視で確認できるようになり、不測の事故等を未然に防止することができるという優れた効果が期待できる。
【図面の簡単な説明】
【図１】本発明に係る荷崩れ防止用ベルトの端部近傍の斜視図である。
【図２】固定手段の例を示す斜視図である。
【図３】固定手段の他の例を示す斜視図である。
【図４】固定手段の他の例を示す斜視図である。
【符号の説明】
１    取付金具
２    ベルト
３    補強鞘
４    固定手段
【図１】
0003664437.tif 000002
【図２】
0003664437.tif 000003
【図３】
0003664437.tif 000004
【図４】
0003664437.tif 000005